(57)【要約】【課題】放送信号をプリセット形式の選局受信部によって選択受信し、復調処理を施して再生出力信号を得るにあたり、選局受信部における受信周波数の設定のみならず復調処理に関わる各種の設定も、予め用意されたプリセットデータに基づいて自動的に行う。【解決手段】プリセットデータ形成手段３０から得られるプリセットデータをデータメモリ２４に格納し、また、入力操作部２１を通じたデータ呼出しに応じて、データメモリ２４から選択されたプリセットデータを読み出すプリセットデータ格納／読出手段３１と、データメモリ２４から読み出されたプリセットデータに基づく制御信号を形成し、それを選局受信部１２及びディジタル復調部１４に供給して、選局受信部１２による放送信号の受信及びディジタル復調部１４による復調処理が選択されたプリセットデータに応じて行われる状態となす制御信号供給手段３２とを備える。【選択図】図１
2006050279.tif 000002
【特許請求の範囲】
【請求項１】
放送局からの放送信号を選択受信するプリセット形式の選局受信部と、
該選局受信部により受信された放送信号についての復調処理を行って再生出力信号を得る復調部と、
上記選局受信部に対する選局プリセットに必要とされる複数の受信周波数，上記選局受信部により上記複数の受信周波数のいずれかに応じた放送信号の受信が行われるとき、上記選局受信部もしくは復調部において設定されるべきパラメータ、及び、上記選局受信部により上記複数の受信周波数のいずれかに応じた放送信号の受信が行われる受信日時に関する情報の入力を行うことができる入力操作部と、
該入力操作部を通じて入力される上記情報をあらわすプリセットデータを形成するプリセットデータ形成手段と、
該プリセットデータ形成手段により形成されたプリセットデータをメモリ手段に格納し、また、上記入力操作部を通じたデータ呼出しに応じて、上記メモリ手段から選択されたプリセットデータを読み出すプリセットデータ格納／読出手段と、
上記メモリ手段から読み出されたプリセットデータに基づく制御信号を形成し、該制御信号を上記選局受信部及び復調部に供給して、上記選局受信部による放送信号の受信及び上記復調部による受信された放送信号についての復調処理が上記選択されたプリセットデータに応じて行われる状態となす制御信号供給手段と、
を備えて構成される放送信号受信装置。
【請求項２】
上記選局受信部もしくは復調部において設定されるべきパラメータが、復調モード，自動利得制御設定値，受信周波数帯域幅，ノイズ除去設定値のうちの少なくとも一つについてのものとされることを特徴とする請求項１記載の放送信号受信装置。
【請求項３】
上記入力操作部を通じたデータ呼出しが、上記メモリ手段に格納されたプリセットデータが示す受信周波数と受信日時とが指定されて行われることを特徴とする請求項１記載の放送信号受信装置。
【請求項４】
上記メモリ手段から読み出されたプリセットデータを外部に送出する通信手段を備えたことを特徴とする請求項１記載の放送信号受信装置。
【発明の詳細な説明】
【技術分野】
【０００１】
本願の特許請求の範囲に記載された発明は、放送局からの、例えば、音声放送信号とされる放送信号を、プリセット形式の選局受信手段によって選択受信し、受信された放送信号に復調処理を施して、再生出力信号を得る放送信号受信装置に関する。
【背景技術】
【０００２】
複数の放送局から夫々送出される、例えば、各々がディジタル音声放送信号とされる複数の放送信号を受信することができる放送信号受信環境のもとにあっては、各放送局が送出する放送信号の搬送波周波数が実施的に不変とされることから、プリセット形式の選局受信装置が用いられて各放送信号の受信が行われることが多い。プリセット形式の選局受信装置にあっては、各放送局から送出される放送信号の搬送波周波数に対応する受信周波数が選定され、複数の放送信号の搬送波周波数に夫々対応した複数の受信周波数が予め用意される。そして、例えば、プリセット選局用の操作釦が操作されることにより、予め用意された受信周波数のうちの一つが選択され、その選択された受信周波数が選局受信装置において設定されて、当該受信周波数に対応する搬送波周波数を有した放送信号が受信される状態がとられる。
【０００３】
斯かるプリセット形式の選局受信装置が用いられるにあたっては、予め用意される複数の受信周波数の夫々が、容易に選択設定され得るものとされる必要がある。そこで、従来においては、予め用意される複数の受信周波数の夫々をあらわす情報をメモリ手段に格納しておき、放送信号を受信する際には、メモリ手段から選択された受信周波数をあらわす情報が読み出され、その情報に基づいて、受信すべき放送信号の搬送波周波数に対応する受信周波数の設定を行うようにすることが提案されている（例えば、特許文献１参照。）。
【０００４】
このようなプリセット形式の選局受信装置を備えた従来提案されている機器は、具体的にはラジオ受信機とされている。そして、斯かるラジオ受信機においては、プリセット形式の選局受信装置において必要とされる、予め用意された受信周波数をあらわす周波数データが、中央演算処理ユニット（ＣＰＵ）と共にマイクロコンピュータを構成するランダム・アクセス・メモリ（ＲＡＭ）に、データテーブル（周波数テーブル）を形成するものとして格納される。そして、プリセット形式の選局受信装置の選択受信動作時においては、ＣＰＵによって、ＲＡＭに格納された周波数テーブルから選択された周波数データが取り出され、プリセット形式の選局受信装置において、取り出された周波数データがあらわす受信周波数が設定されて、その受信周波数に対応する搬送周波数を有した放送信号の受信が行われる。
【特許文献１】特開平５−１６７３９７号公報
【発明の開示】
【発明が解決しようとする課題】
【０００５】
上述のような、従来提案されているプリセット形式の選局受信装置を備えたラジオ受信機によれば、ＲＡＭに格納された周波数テーブルから取り出される周波数データが用いられて、特定の放送局からの放送信号の受信を容易に繰り返して行うことができることになる。しかしながら、ＲＡＭに格納されるのは、受信周波数をあらわす周波数データだけであるので、特定の放送局からの放送信号を受信するにあたり、受信周波数はＲＡＭに格納された周波数データに基づいて自動的に設定されるが、プリセット形式の選局受信装置により選択受信された放送信号についての復調処理を行う復調部等を含んだラジオ受信機の各部の動作態様についての設定に関しては、ラジオ受信機の使用者がその都度行わなければならない。
【０００６】
特定の放送局からの放送信号を受信する際における、ラジオ受信機についての受信周波数の設定以外の設定としては、例えば、選局受信装置もしくは復調部に関連しての復調モード，自動利得制御（ＡＧＣ）設定値，受信周波数帯域幅，ノイズ除去設定値等々についてのパラメータの設定がある。従って、例えば、ラジオ受信機の使用者が、特定の放送局からの放送信号の受信にあたり、そのときより前において受信したときと略同一の条件で受信することを望んだとき（実際においては多くの場合にそう望まれる）には、当該使用者は、選局受信装置もしくは復調部に関連したものだけでも、復調モード，ＡＧＣ設定値，受信周波数帯域幅，ノイズ除去設定値等々についてのパラメータを、前のときと同様になるように設定することが要求されることになる。このような設定は、ラジオ受信機の使用者にとって相当な煩わしさが感じられることであり、そのうえ、設定の結果、前のときと略同一の条件のもとで受信する状態に至るのは困難とされることが多い。
【０００７】
斯かる点に鑑み、本願の特許請求の範囲に記載された発明は、放送局からの、例えば、音声放送信号とされる放送信号を、プリセット形式の選局受信部によって選択受信し、受信された放送信号に復調部による復調処理を施して、再生出力信号を得るにあたり、プリセット形式の選局受信部における受信周波数の設定のみならず、選局受信部，復調部等における各種の設定も、予め用意されたプリセットデータに基づいて自動的に行われ、それゆえ、使用者に煩わしい設定操作を要求しないことになる放送信号受信装置を提供する。
【課題を解決するための手段】
【０００８】
本願の特許請求の範囲における請求項１から請求項４までのいずれかに記載された発明に係る放送信号受信装置は、放送局からの放送信号を選択受信するプリセット形式の選局受信部と、選局受信部により受信された放送信号についての復調処理を行って再生出力信号を得る復調部と、選局受信部に対する選局プリセットに必要とされる複数の受信周波数，選局受信部により複数の受信周波数のいずれかに応じた放送信号の受信が行われるとき、選局受信部もしくは復調部において設定されるべきパラメータ、及び、選局受信部により複数の受信周波数のいずれかに応じた放送信号の受信が行われる受信日時に関する情報の入力を行うことができる入力操作部と、入力操作部を通じて入力される情報をあらわすプリセットデータを形成するプリセットデータ形成手段と、プリセットデータ形成手段により形成されたプリセットデータをメモリ手段に格納し、また、入力操作部を通じたデータ呼出しに応じて、メモリ手段から選択されたプリセットデータを読み出すプリセットデータ格納／読出手段と、メモリ手段から読み出されたプリセットデータに基づく制御信号を形成し、それを選局受信部及び復調部に供給して、選局受信部による放送信号の受信及び復調部による受信された放送信号についての復調処理が選択されたプリセットデータに応じて行われる状態となす制御信号供給手段と、を備えて構成される。
【０００９】
選局受信部もしくは復調部において設定されるべきパラメータは、例えば、復調モード，ＡＧＣ設定値，受信周波数帯域幅，ノイズ除去設定値のうちの少なくとも一つについてのものとされる。
【００１０】
また、入力操作部を通じたデータ呼出しは、例えば、メモリ手段に格納されたプリセットデータが示す受信周波数と受信日時とが指定されて行われる。
【発明の効果】
【００１１】
本願の特許請求の範囲における請求項１から請求項４までのいずれかに記載された発明に係る放送信号受信装置にあっては、複数の放送局から夫々送出される、例えば、各々が音声放送信号とされる複数の放送信号についての、プリセット形式の選局受信部による選択受信が行われるとき、制御信号供給手段からの制御信号が選局受信部及び復調部に供給されることにより、入力操作部を通じたデータ呼出しに応じてメモリ手段から読み出される、選択されたプリセットデータがあらわす受信周波数に関する情報に応じて、選局受信部における受信周波数の設定が自動的に行われるとともに、選択されたプリセットデータがあらわす選局受信部もしくは復調部において設定されるべきパラメータに関する情報に応じて、選局受信部もしくは復調部における動作態様を定める、例えば、復調モード，ＡＧＣ設定値，受信周波数帯域幅，ノイズ除去設定値のうちの少なくとも一つについてのものとされるパラメータの設定が、自動的に行われる。それにより、プリセット形式の選局受信部による放送信号の受信及び復調部による受信された放送信号についての復調処理が、選択されたプリセットデータに応じて行われる状態がとられることになる。
【００１２】
従って、本願の特許請求の範囲における請求項１から請求項４までのいずれかに記載された発明に係る放送信号受信装置によれば、放送局からの、例えば、音声放送信号とされる放送信号を、プリセット形式の選局受信部によって選択受信し、受信された放送信号に復調部による復調処理を施して、再生出力信号を得るにあたり、プリセット形式の選局受信部における受信周波数の設定のみならず、選局受信部，復調部等における各種の設定も、予め用意されたプリセットデータに基づいて自動的に行われ、その結果、使用者が煩わしい設定操作から解放される。しかも、使用者が、特定の放送局からの放送信号の受信にあたり、そのときより前における当該放送局からの放送信号の受信状態を、容易に再現できることになる。
【発明を実施するための最良の形態】
【００１３】
本願の特許請求の範囲における請求項１から請求項４までのいずれかに記載された発明を実施するための最良の形態は、以下に述べられる実施例をもって説明される。
【実施例】
【００１４】
図１は、本願の特許請求の範囲における請求項１から請求項４までのいずれかに記載された発明に係る放送信号受信装置の一例を示す。
【００１５】
図１に示される例にあっては、複数の放送局から夫々送出されて受信アンテナ１１により捉えられた、例えば、各々がディジタル音声放送信号とされる複数の放送信号ＳＸのうちの一つが、プリセット形式の選局受信部１２における選局受信動作によって選択受信される。選局受信部１２により選択受信される放送信号は、選局受信部１２において選局プリセットとして設定される受信周波数に対応する搬送波周波数を有したものとされる。選局受信部１２において設定される受信周波数は、予め用意される複数の受信周波数のうちから、受信されるべき放送信号の搬送波周波数に応じて選択される。
【００１６】
選局受信部１２においては、選択受信された放送信号に対する増幅処理，周波数変換処理等が行われることになり、選択受信された放送信号についての中間周波数（ＩＦ）信号ＳＩＤが形成される。選局受信部１２から得られるＩＦ信号ＳＩＤは、アナログ／ディジタル（Ａ／Ｄ）変換部１３に供給され、Ａ／Ｄ変換部１３からＩＦ信号ＳＩＤに基づくディジタルＩＦ信号ＤＩＤが得られて、それがディジタル復調部１４に供給される。
【００１７】
ディジタル復調部１４においては、Ａ／Ｄ変換部１３からのディジタルＩＦ信号ＤＩＤについての、直交復調処理，時間ドメイン信号から周波数ドメイン信号への変換処理，周波数デインターリーブ処理，プログラム選択処理，タイムデインターリーブ処理，エラー訂正処理，高能率復号化処理等を必要に応じて含んだディジタル復調処理が、選局受信部１２もしくはディジタル復調部１４において、その動作態様を定める復調モード，受信周波数帯域幅，ＡＧＣ設定値，ノイズ除去設定値等の夫々についてのパラメータが設定されたもとで行われる。そして、ディジタル復調部１４からは、再生された情報データである音声データＤＡが得られ、それがディジタル／アナログ（Ｄ／Ａ）変換部１５に供給され、Ｄ／Ａ変換部１５から、音声データＤＡに基づく再生音声信号ＳＡが得られ、それが再生出力信号として送出されて、出力増幅部１６に供給される。
【００１８】
出力増幅部１６は、再生出力信号であるＤ／Ａ変換部１５からの再生音声信号ＳＡに電力増幅を施し、増幅された再生音声信号ＳＡをスピーカ１７に供給する。それにより、スピーカ１７から、再生音声信号ＳＡに応じた音声、即ち、選択受信部１２により選択受信された放送信号であるディジタル音声放送信号に基づく音声が発せられる。
【００１９】
このような図１に示される例には、それにおける各部を制御する動作制御部２０が備えられている。この動作制御部２０は、例えば、マイクロコンピュータが利用されて構成され、入力操作部２１，通信手段２２，プログラムメモリ２３，データメモリ２４及び表示部２５が連結されている。
【００２０】
動作制御部２０は、種々の制御動作を行うが、斯かる制御動作に含まれるものとして、プリセット形式の選局受信部１２における放送信号の選択受信に必要とされるプリセットデータの形成及び保存を行うプリセットデータ形成・保存動作、及び、保存されたプリセットデータのうちの選択されたものを呼び出し、呼び出されたプリセットデータに基づいて形成した制御信号により、選局受信部１２及びディジタル復調部１４の動作を制御する選局受信・復調制御動作がある。これらのプリセットデータ形成・保存動作，選局受信・復調制御動作、さらには、他の制御動作は、いずれも、プログラムメモリ２３に格納されたプログラムのうちの各動作に対応するものに従って行われる。
【００２１】
動作制御部２０によるプリセットデータ形成・保存動作が行われる際には、入力操作部２１における操作が行われて、プリセット形式の選局受信部１２による特定の放送局からの放送信号についての選択受信にあたって、選局受信部１２に設定されるべき受信周波数、即ち、選局受信部１２に対する選局プリセットに必要とされる受信周波数に関する情報，選局受信部１２による特定の放送局からの放送信号についての選択受信が行われるとき、選局受信部１２もしくはディジタル復調部１４において設定されるべき復調モード，ＡＧＣ設定値，受信周波数帯域幅，ノイズ除去設定値等の夫々についてのパラメータに関する情報、さらには、選局受信部１２による特定の放送局からの放送信号についての選択受信が行われる受信日時に関する情報等を含んだ入力情報が、入力データＤＩとして入力操作部２１から動作制御部２０へと供給される。
【００２２】
動作制御部２０にあっては、それに内蔵されたプリセットデータ形成手段３０が、入力情報である入力データＤＩを受け取り、それに基づいて、プリセット形式の選局受信部１２による特定の放送局からの放送信号についての選択受信にあたって、選局受信部１２に対する選局プリセットに必要とされる受信周波数に関する情報，選局受信部１２による特定の放送局からの放送信号についての選択受信が行われるとき、選局受信部１２もしくはディジタル復調部１４において設定されるべき復調モード，ＡＧＣ設定値，受信周波数帯域幅，ノイズ除去設定値等の夫々についてのパラメータに関する情報、さらには、選局受信部１２による特定の放送局からの放送信号についての選択受信が行われる受信日時に関する情報等をあらわすプリセットデータを形成する。
【００２３】
このようにして、動作制御部２０におけるプリセットデータ形成手段３０により形成されるプリセットデータは、入力データＤＩに含まれる、選局受信部１２に対する選局プリセットに必要とされる受信周波数に関する情報が、例えば、受信周波数：Ｘ１をあらわすものであるときには、図２に示されるプリセットデータＰＳＤ１のように、受信周波数：Ｘ１及び復調モード：Ｚが見出しの役割を果たすものとされ、斯かるもとで、日時：ＤＴ１〜ＤＴｎの夫々毎に、ＡＧＣ設定値：ａ１〜ａｎ，受信周波数帯域幅：ｂ１〜ｂｎ，ノイズ除去設定値：ｃ１〜ｃｎ及びその他の設定値：ｄ１〜ｄｎがパラメータとして整理されるものとされる。従って、例えば、プリセットデータＰＳＤ１について、日時ＤＴ１が選択されると、受信周波数：Ｘ１，復調モード：Ｚ，ＡＧＣ設定値：ａ１，受信周波数帯域幅：ｂ１，ノイズ除去設定値：ｃ１，その他の設定値：ｄ１というデータ群がプリセットデータとして選択されることになる。
【００２４】
また、プリセットデータ形成手段３０により形成されるプリセットデータは、入力データＤＩに含まれる選局受信部１２に対する選局プリセットに必要とされる受信周波数に関する情報が、例えば、受信周波数：Ｘ２をあらわすものであるときには、図２に示されるプリセットデータＰＳＤ２のように、受信周波数：Ｘ２及び復調モード：Ｚが見出しの役割を果たすものとされ、斯かるもとで、日時：ＤＴ１〜ＤＴｎの夫々毎に、ＡＧＣ設定値：ａ１〜ａｎ，受信周波数帯域幅：ｂ１〜ｂｎ，ノイズ除去設定値：ｃ１〜ｃｎ及びその他の設定値：ｄ１〜ｄｎがパラメータとして整理されるものとされる。従って、例えば、プリセットデータＰＳＤ２について、日時ＤＴ１が選択されると、受信周波数：Ｘ２，復調モード：Ｚ，ＡＧＣ設定値：ａ１，受信周波数帯域幅：ｂ１，ノイズ除去設定値：ｃ１，その他の設定値：ｄ１というデータ群がプリセットデータとして選択されることになる。
【００２５】
同様にして、プリセットデータ形成手段３０により形成されるプリセットデータは、入力データＤＩに含まれる選局受信部１２に対する選局プリセットに必要とされる受信周波数に関する情報が、例えば、受信周波数：Ｘ３〜Ｘｎの夫々をあらわすものであるときには、図２に示されるプリセットデータＰＳＤ３〜ＰＳＤｎの夫々のように整理されるものとされる。
【００２６】
プリセットデータ形成手段３０により形成される、例えば、図２においてプリセットデータＰＳＤ１〜ＰＳＤｎとして示されるようなプリセットデータは、例えば、必要に応じて表示部２５による内容表示が行われるとともに、動作制御部２０に内蔵されたプリセットデータ格納／読出手段３１によって、データメモリ２４に格納され、そのデータメモリ２４において保存される。
【００２７】
次に、動作制御部２０による選局受信・復調制御動作が行われる際には、入力操作部２１における操作が行われて、データメモリ２４に格納された、受信周波数に関する情報，復調モード，ＡＧＣ設定値，受信周波数帯域幅，ノイズ除去設定値等の夫々についてのパラメータに関する情報、さらには、受信日時に関する情報等をあらわすプリセットデータのうちの選択されたものを呼び出すべきことを命令するデータ呼出しをあらわす入力データＤＩが、入力操作部２１から動作制御部２０へと供給される。斯かる際における入力データＤＩがあらわすデータ呼出しは、例えば、データメモリ２４に格納されたプリセットデータが示す受信周波数と受信日時とを指定し、指定された受信周波数と受信日時とに対応するプリセットデータについての呼出しを命じるものとされる。即ち、動作制御部２０に供給される入力データＤＩがあらわすデータ呼出しは、例えば、図２に示されるプリセットデータＰＳＤ１に含まれるデータがあらわす受信周波数：Ｘ１と日時：ＤＴ１とを指定するものとされ、それにより、受信周波数：Ｘ１，復調モード：Ｚ、及び、日時：ＤＴ１のもとに整理されたＡＧＣ設定値：ａ１，受信周波数帯域幅：ｂ１，ノイズ除去設定値：ｃ１，その他の設定値：ｄ１を含んだデータ群をプリセットデータとして呼び出すべきことを命じるものとされるのである。
【００２８】
動作制御部２０にあっては、それに内蔵されたプリセットデータ格納／読出手段３１が、入力データＤＩに応じて、入力データＤＩがあらわすデータ呼出しが命じるプリセットデータについての呼出しを、データメモリ２４から対応するプリセットデータを読み出すことによって行う。例えば、入力データＤＩがあらわすデータ呼出しが、図２に示されるプリセットデータＰＳＤ１に含まれるデータがあらわす受信周波数：Ｘ１と日時：ＤＴ１とを指定するものである場合には、プリセットデータ格納／読出手段３１は、データメモリ２４から、図２に示されるプリセットデータＰＳＤ１に含まれる、受信周波数：Ｘ１，復調モード：Ｚ、及び、日時：ＤＴ１のもとに整理されたＡＧＣ設定値：ａ１，受信周波数帯域幅：ｂ１，ノイズ除去設定値：ｃ１，その他の設定値：ｄ１を含んだデータ群をプリセットデータとして読み出す。
【００２９】
プリセットデータ格納／読出手段３１によってデータメモリ２４から読み出された、受信周波数に関する情報，復調モード，ＡＧＣ設定値，受信周波数帯域幅，ノイズ除去設定値等の夫々についてのパラメータに関する情報、さらには、受信日時に関する情報等をあらわすプリセットデータは、例えば、必要に応じて表示部２５による内容表示が行われるとともに、動作制御部２０に内蔵された制御信号供給手段３２に供給される。斯かるプリセットデータは、例えば、図２に示されるプリセットデータＰＳＤ１に含まれる、受信周波数：Ｘ１，復調モード：Ｚ、及び、日時：ＤＴ１のもとに整理されたＡＧＣ設定値：ａ１，受信周波数帯域幅：ｂ１，ノイズ除去設定値：ｃ１，その他の設定値：ｄ１を含んだデータ群から成るものとされる。
【００３０】
制御信号供給手段３２は、データメモリ２４から読み出されたプリセットデータがあらわす受信周波数に関する情報に基づいて、データメモリ２４から読み出されたプリセットデータがあらわす受信周波数を選局受信部１２に設定するための制御信号ＣＦを形成して、それを選局受信部１２に供給する。それにより、選局受信部１２において、制御信号ＣＦにより、データメモリ２４から読み出されたプリセットデータがあらわす受信周波数、例えば、受信周波数：Ｘ１が設定される。
【００３１】
また、制御信号供給手段３２は、データメモリ２４から読み出されたプリセットデータがあらわす復調モード，ＡＧＣ設定値，受信周波数帯域幅，ノイズ除去設定値等の夫々についてのパラメータに関する情報に基づいて、データメモリ２４から読み出されたプリセットデータがあらわす復調モード，ＡＧＣ設定値，受信周波数帯域幅，ノイズ除去設定値等の夫々についてのパラメータを、選局受信部１２もしくはディジタル復調部１４に設定するための制御信号群ＣＰを形成して、それを選局受信部１２もしくはディジタル復調部１４に供給する。それにより、選局受信部１２もしくはディジタル復調部１４において、制御信号群ＣＰにより、データメモリ２４から読み出されたプリセットデータがあらわす復調モード，ＡＧＣ設定値，受信周波数帯域幅，ノイズ除去設定値等の夫々についてのパラメータ、例えば、ＡＧＣ設定値：ａ１，受信周波数帯域幅：ｂ１，ノイズ除去設定値：ｃ１，その他の設定値：ｄ１が設定される。
【００３２】
動作制御部２０は、例えば、データメモリ２４から読み出されたプリセットデータがあらわす復調モード，ＡＧＣ設定値，受信周波数帯域幅，ノイズ除去設定値等の夫々についてのパラメータに関する情報に基づいて、出力増幅部１６における増幅度を適正なものとするための制御信号ＣＯをも形成し、それを出力増幅部１６に供給する。
【００３３】
さらに、動作制御部２０は、例えば、入力操作部２１からの入力データＤＩの内容に応じて、データメモリ２４から読み出されたプリセットデータを通信手段２２に供給し、通信手段２２がデータメモリ２４から読み出されたプリセットデータを外部に送出する状態を設定する。その際には、データメモリ２４から読み出されたプリセットデータが、例えば、図１に示される例と他の機器との間におけるデータ交換に供される。
【００３４】
上述のようにして、図１に示される例にあっては、選局受信部１２において、制御信号ＣＦにより、データメモリ２４から読み出されたプリセットデータがあらわす受信周波数、例えば、受信周波数：Ｘ１が設定されるとともに、選局受信部１２もしくはディジタル復調部１４において、制御信号群ＣＰにより、データメモリ２４から読み出されたプリセットデータがあらわす復調モード，ＡＧＣ設定値，受信周波数帯域幅，ノイズ除去設定値等の夫々についてのパラメータ、例えば、ＡＧＣ設定値：ａ１，受信周波数帯域幅：ｂ１，ノイズ除去設定値：ｃ１，その他の設定値：ｄ１が設定されたもとで、選局受信部１２による、それに設定された受信周波数に対応する搬送波周波数を有した特定の放送局からの放送信号についての選択受信が行われるとともに、ディジタル復調部１４による、選局受信部１２により選択受信された特定の放送局からの放送信号に対するディジタル復調処理が行われる。それにより、図１に示される例によれば、放送局からのディジタル音声放送信号とされる放送信号を、プリセット形式の選局受信部１２によって選択受信し、受信された放送信号にディジタル復調部１４によるディジタル復調処理を施して、再生出力信号である再生音声信号ＳＡを得るにあたり、選局受信部１２における受信周波数の設定のみならず、選局受信部１２，ディジタル復調部１４等における各種の動作設定も、予め用意されたプリセットデータに基づいて自動的に行われることになり、その結果、使用者が煩わしい設定操作から解放される。しかも、データメモリ２４に格納されたプリセットデータの呼出しが、受信周波数と受信日時とが指定されて行われる際には、使用者が、特定の放送局からの放送信号の受信にあたり、そのときより前における当該放送局からの放送信号の受信状態を、容易に再現できることになる。
【００３５】
なお、図１に示される例は、放送信号としてディジタル音声放送信号を扱うものとされているが、本願の特許請求の範囲における請求項１から請求項４までのいずれかに記載された発明に係る放送信号受信装置は、ディジタル音声放送信号を扱うものに限られるものではない。また、図２に示されるプリセットデータも、本願の特許請求の範囲における請求項１から請求項４までのいずれかに記載された発明に係る放送信号受信装置において形成されるプリセットデータの一例を示すものに過ぎず、本願の特許請求の範囲における請求項１から請求項４までのいずれかに記載された発明に係る放送信号受信装置において形成されるプリセットデータを制約するものではない。
【産業上の利用可能性】
【００３６】
以上のような本願の特許請求の範囲における請求項１から請求項４までのいずれかに記載された発明に係る放送信号受信装置は、放送局からの放送信号を、プリセット形式の選局受信部によって選択受信し、受信された放送信号に復調部による復調処理を施して、再生出力信号を得るにあたり、プリセット形式の選局受信部における受信周波数の設定のみならず、選局受信部，復調部等における各種の動作設定も、予め用意されたプリセットデータに基づいて自動的に行われるという利点が得られるものであって、例えば、ディジタル音声放送信号の受信に供されるラジオ受信機等の電子機器に、広く適用することができるものである。
【図面の簡単な説明】
【００３７】
【図１】本願の特許請求の範囲における請求項１から請求項４までのいずれかに記載された発明に係る放送信号受信装置の一例を示すブロック構成図である。
【図２】図１に示される例において形成されるプリセットデータの説明に供される概念図である。
【符号の説明】
【００３８】
１１・・・受信アンテナ，  １２・・・選局受信部，  １３・・・Ａ／Ｄ変換部，  １４・・・ディジタル復調部，  １５・・・Ｄ／Ａ変換部，  １６・・・出力増幅部，  １７・・・スピーカ，  ２０・・・動作制御部，  ２１・・・入力操作部，  ２２・・・通信手段，  ２３・・・プログラムメモリ，  ２４・・・データメモリ，  ２５・・・表示部，  ３０・・・プリセットデータ形成手段，  ３１・・・プリセットデータ格納／読出手段，  ３２・・・制御信号供給手段
【図１】
2006050279.tif 000003
【図２】
2006050279.tif 000004